(57)【特許請求の範囲】
【請求項１】
平面型表示パネルを内蔵した装置本体と、装置本体の底部に取り付けられて装置本体を自立させる合成樹脂製のスタンドとを具え、スタンドは、ベース部と、該ベース部の上に立設された支柱部とから構成され、装置本体の背面にスタンドの支柱部の前面が対向した状態で、装置本体にスタンドが締結される薄型表示装置において、
スタンドの支柱部には、前記前面よりも前方に、装置本体の底面を受け止める受け面が形成されており、該受け面は、装置本体の重心を通る鉛直線と交叉する位置に設けられており、
前記装置本体には、前記スタンドの支柱部が係合する凹部が形成され、スタンドの支柱部が装置本体の凹部に係合した状態で、スタンドの受け面は、装置本体の凹部よりも前方に位置していることを特徴とする薄型表示装置。
【発明の詳細な説明】
【技術分野】
【０００１】
本発明は、液晶テレビジョン受像機の如き薄型表示装置に関し、特に、装置本体を自立させるスタンドを具えた薄型表示装置に関するものである。
【背景技術】
【０００２】
従来、液晶テレビジョン受像機の如き薄型表示装置においては、装置本体にスタンドを着脱可能に取り付けて、装置本体を自立状態に設置することが行なわれる(特許文献１参照)。
【０００３】
例えば図７に示す液晶テレビジョン受像機においては、装置本体(６)を構成するフロントキャビネット(61)とバックキャビネット(62)の間に液晶表示パネル(４)が配備され、装置本体(６)の底部にはスタンド(５)が取り付けられている。
スタンド(５)は、ベース部(51)と、該ベース部(51)上に立設された支柱部(52)とから構成される。
【０００４】
スタンド(５)は、装置本体(６)のバックキャビネット(62)の背面(63)に支柱部(52)の前面を当接させると共に、支柱部(52)の受け面(53)によってバックキャビネット(62)の底面(64)を受け止めた状態で、複数本のビス(７)によって装置本体(６)に締結されている。
【０００５】
ところで、図７に示す液晶テレビジョン受像機においては、装置本体(１)に内蔵されている液晶表示パネル(４)の重量が装置本体(１)の重心位置Ｇを決定しており、その重心位置Ｇは、スタンド(５)の支柱部(52)の受け面(53)よりも前方に位置しているため、スタンド(５)の受け面(53)の位置を中心として装置本体(６)を前方へ倒す方向のモーメントＭが発生することになる。
そこで、スタンド(５)は、ベース部(51)が前方へ大きく突出する形状に形成され、これによって装置本体(６)の転倒が防止されている。
【先行技術文献】
【特許文献】
【０００６】
【特許文献１】特開２００７−３１０１８６号公報
【発明の概要】
【発明が解決しようとする課題】
【０００７】
しかしながら、従来の液晶テレビジョン受像機においては、合成樹脂製のスタンド(５)を採用した場合、温度上昇によりスタンド(５)が軟化して強度の低下が生じ、その結果、スタンド(５)のベース部(51)が変形し、場合によっては装置本体(６)が前方へ倒れてしまう虞があった。
そこで本発明の目的は、温度上昇等によってスタンドの強度が低下した場合にも装置本体の転倒を防止することが出来る薄型表示装置を提供することである。
【課題を解決するための手段】
【０００８】
本発明に係る薄型表示装置は、平面型表示パネルを内蔵した装置本体(１)と、装置本体(１)の底部に取り付けられて装置本体(１)を自立させるスタンド(２)とを具え、スタンド(２)は、ベース部(21)と、該ベース部(21)上に立設された支柱部(22)とから構成され、装置本体(１)の背面(13)にスタンド(２)の支柱部(22)の前面(23)が対向した状態で、装置本体(１)にスタンド(２)が締結される。
ここで、スタンド(２)の支柱部(22)には、前記前面(23)よりも前方に、装置本体(１)の底面(15)を受け止める受け面(24)が形成されている。
【０００９】
上記本発明の薄型表示装置によれば、スタンド(２)の前面(23)よりも前方に、装置本体(１)の底面(15)を受け止める受け面(24)が形成されているので、スタンドの前面よりも後方に装置本体の底面を受け止める受け面が形成されていた従来の薄型表示装置と比較して、スタンド(２)の受け面(53)の位置を中心として装置本体(１)を前方へ倒す方向のモーメントが小さくなる。
これによって装置本体の転倒が防止される。
【００１０】
具体的態様においては、スタンド(２)の受け面(24)は、装置本体(１)の重心を通る鉛直線と交叉する位置に設けられている。
これによって、スタンド(２)の受け面(53)の位置を中心として装置本体(１)を前方へ倒す方向のモーメントは略零となり、温度上昇による装置本体の転倒が確実に防止される。
【００１１】
更に具体的な態様において、装置本体(１)には、スタンド(２)の支柱部(22)が係合する凹部(14)が形成され、スタンド(２)の支柱部(22)が装置本体(１)の凹部(14)に係合した状態で、スタンド(２)の受け面(24)は、装置本体(１)の凹部(14)よりも前方に位置している。
該具体的構成においては、スタンド(２)の支柱部(22)の上面と装置本体(１)の凹部(14)の天井面との間に、僅かな隙間を形成することによって、装置本体(１)の底面(15)とスタンド(２)の支柱部(22)の受け面(24)とが確実に当接することになる。
【発明の効果】
【００１２】
本発明に係る薄型表示装置によれば、温度上昇等によってスタンドの強度が低下した場合にも装置本体の転倒を防止することが出来る。
【図面の簡単な説明】
【００１３】
【図１】図１は、本発明の一実施形態である液晶テレビジョン受像機の背面側を示す斜視図である。
【図２】図２は、該液晶テレビジョン受像機において装置本体からスタンドを取り外した状態を示す斜視図である。
【図３】図３は、該液晶テレビジョン受像機の一部破断斜視図である。
【図４】図４は、該液晶テレビジョン受像機の断面図である。
【図５】図５は、該液晶テレビジョン受像機を前面側から見たの分解斜視図である。
【図６】図６は、該液晶テレビジョン受像機を背面側から見た分解斜視図である。
【図７】図７は、従来の液晶テレビジョン受像機の断面図である。
【発明を実施するための形態】
【００１４】
以下、本発明を液晶テレビジョン受像機に実施した形態につき、図面に沿って具体的に説明する。尚、以下の説明において、前方とは、図３に示す装置本体(１)の中心位置から見て画面(41)が形成されている方向(図３の左方向)を意味するものとする。
【００１５】
本発明の一実施形態である液晶テレビジョン受像機は、図１及び図２に示す如く、装置本体(１)と合成樹脂製のスタンド(２)とから構成され、装置本体(１)の底部にスタンド(２)を取り付けた状態で自立させることが出来る。
装置本体(１)は、フロントキャビネット(11)とバックキャビネット(12)を具え、スタンド(２)は、ベース部(21)上に支柱部(22)を立設して構成されている。
【００１６】
図３に示す如く、フロントキャビネット(11)とバックキャビネット(12)の間には画面(41)を有する液晶表示パネル(４)が配備されている。
図５及び図６に示す如く、フロントキャビネット(11)とバックキャビネット(12)とは複数本のビス(31)を用いて互いに連結されている。
【００１７】
図２の如く、装置本体(１)のバックキャビネット(12)の底部には、下方及び後方へ開口する凹部(14)が形成されており、該凹部(14)にスタンド(２)の支柱部(22)を係合させ、バックキャビネット(12)の背面(13)にスタンド(２)の支柱部(22)の前面(23)を対向させた状態で、複数本のビス(３)を用いて、バックキャビネット(12)にスタンド(２)が締結される。
【００１８】
図４に示す如く、スタンド(２)の支柱部(22)には、前面(23)の下端から前方へ略水平に延びる受け面(24)が形成されており、図３の如く、スタンド(２)の受け面(24)によって、装置本体(１)の底面(15)が受け止められる。
ここで、スタンド(２)の受け面(24)は、図４に示す様に、装置本体(１)の重心Ｇを通る鉛直線と交叉する位置に設けられている。
【００１９】
この状態で、スタンド(２)の支柱部(22)の上面と装置本体(１)の凹部(14)の天井面との間には、図４の如く僅かな隙間Ｓが設けられている。これによって、スタンド(２)の受け面(24)と装置本体(１)の底面(15)とが互いに確実に当接することになる。
【００２０】
上記液晶テレビジョン受像機においては、スタンド(２)の受け面(24)が、スタンド(２)の前面(23)よりも前方であって、装置本体(１)の重心を通る鉛直線と交叉する位置に設けられているので、スタンド(２)の受け面(53)の位置を中心として装置本体(１)を前方へ倒す方向のモーメントは略零となる。
従って、温度上昇によりスタンド(２)が軟化して強度の低下が生じたとしても、装置本体(１)はスタンド(２)によって確実に支持され、装置本体(１)の転倒が防止される。
【００２１】
又、スタンド(２)自体の強度を従来よりも低く抑えることが可能であり、これによってコストダウンを図ることが出来る。
【００２２】
尚、本発明の各部構成は上記実施の形態に限らず、特許請求の範囲に記載の技術的範囲内で種々の変形が可能である。又、本発明は液晶テレビジョン受像機に限らず、種々の薄型表示装置に実施することが出来る。
【符号の説明】
【００２３】
(１)  装置本体
(11)  フロントキャビネット
(12)  バックキャビネット
(13)  背面
(14)  凹部
(15)  底面
(２)  スタンド
(21)  ベース部
(22)  支柱部
(23)  前面
(24)  受け面
(３)  ビス
(４)  液晶表示パネル
【図１】
0005431209.tif 000002
【図２】
0005431209.tif 000003
【図３】
0005431209.tif 000004
【図４】
0005431209.tif 000005
【図５】
0005431209.tif 000006
【図６】
0005431209.tif 000007
【図７】
0005431209.tif 000008